(57)【要約】  本発明は、フロント又はリアプロジェクターのための、画素メモリーを有する液晶素子のバルブのアーキテクチャーに関する。バルブ（１）は、行及び列に配され、少なくとも１つの画像に関連するビデオ情報を表示するよう駆動装置により制御される液晶をそれぞれ有する素子を有する。本発明によると、液晶の駆動手段の大きさを低減できる。従って、駆動手段のコンデンサ及びトランジスターは、バルブの複数の素子間で共通される。バルブの各素子により表示されるべきビデオ情報は、バルブ（１）へ送信される前に、バルブの少なくとも２つの隣接する素子のグループにより共通される共通の値（ＶＣ）及び固有の値（ＶＳ１、ＶＳ２）として符号化される。
2008529036.tif 000002
【特許請求の範囲】
【請求項１】
画像表示装置であって、
液晶のミラー電極と称される１つの電極は、少なくとも１つの画像に関連するビデオ情報を表示するよう駆動手段により制御され、前記液晶をそれぞれ有する行と列に配された素子のバルブ、
各画素に対し、バルブの少なくとも２つの隣接する素子のグループにより共有される共通の値及び固有の値としてバルブの各素子により表示されるべきビデオ情報を符号化し、及びそれらをバルブへ送信する手段、
を有し、
前記駆動手段は、
バルブの素子毎に、前記素子の液晶のミラー電極と結合され、及び前記素子により表示されるべきビデオ情報アイテムと関連した固有の値を格納し、及び前記固有の値を前記素子の液晶のミラー電極へ適用する、固有の駆動手段、及び
バルブの少なくとも２つの素子のグループ毎に、前記グループの各素子と結合され、及びグループの前記素子により表示されるべきビデオ情報アイテムと関連した前記共通の値を格納し、及び前記共通の値を前記グループの素子の液晶のミラー電極へ適用する、共通の駆動手段、
を有することを特徴とし、
固有の駆動手段及び１つの同一の素子のグループと結合された共通の駆動手段は、グループの素子の液晶を、画像のために、グループの素子に関連するビデオ情報の固有の値と共通の値を交互に表示するよう制御する、
画像表示装置。
【請求項２】
少なくとも２つの色に関連し順次送信されるビデオ情報を処理可能であること、及び
固有の駆動手段及び１つの同一の素子のグループと結合された共通の駆動手段は、グループの素子の液晶を、色に関連するビデオ情報の固有の値と前記色又は別の色に関連するビデオ情報の共通の値を交互に表示するよう制御すること
を特徴とする、請求項１記載の表示装置。
【請求項３】
前記装置は、
白色光を生成し、バルブが符号化手段２によりバルブへ送信された固有の値及び共通の値に応じて光量を反射又は透過する、前記素子のバルブを照射する光源、及び
前記光源と前記バルブの間に置かれ、前記少なくとも２つの色毎に色セグメントを有し、符号化手段と同期し、従って色に関連する固有又は共通の値がバルブの液晶のミラー電極に適用された場合、前記色に対応するホイールセグメントが光源により生成された光をフィルターするカラーホイール、
を更に有する、請求項２記載の装置。
【請求項４】
前記グループの隣接する素子は、バルブの素子の連続する行に属し及び列に属することを特徴とする、請求項１乃至３の１項記載の装置。
【請求項５】
前記グループの隣接する素子は、バルブの素子の連続する行に属し及び連続する列に属することを特徴とする、請求項１乃至３の１項記載の装置。
【請求項６】
素子の固有の駆動手段は、
バルブの列ラインに存在する前記素子のための固有の値を格納する第１の格納コンデンサ、
列ラインを前記第１の格納コンデンサの第１の端子と接続し、及び他方の端子は固定電位と接続される第１のスイッチ、及び
第１の格納コンデンサの第１の端子を素子の液晶のミラー電極と接続する第１のスイッチ、
を有することを特徴とする、請求項１乃至５の１項記載の装置。
【請求項７】
バルブの素子のグループの共通の駆動手段は、
バルブの列ラインに存在する前記グループのための共通の値を格納する第２の格納コンデンサ、
列ラインを前記第２の格納コンデンサの第１の端子と接続し、及び他方の端子は固定電位と接続される第３のスイッチ、及び
第２の格納コンデンサの第１の端子をグループの素子の液晶のミラー電極と接続する第４のスイッチ、
を有することを特徴とする、請求項１乃至６の１項記載の装置。
【請求項８】
素子のグループは、２つの素子を有する、前記請求項の何れか１項記載の装置。
【請求項９】
素子のグループは、４個の素子を有する、請求項１乃至７の１項記載の装置。
【発明の詳細な説明】
【技術分野】
【０００１】
本発明は、ＬＣＯＳ（Liquid  Crystal  On  Silicon）型のバルブを有するフロント又はリアプロジェクター型の表示装置に関連する。
【０００２】
本発明は、シーケンシャルカラーディスプレイの枠組みの中で説明されるが、モノクロディスプレイに適用されても良い。
【背景技術】
【０００３】
従来のＬＣＯＳバルブは、行と列に配された素子の配列であり、各素子は、画素を表示することを目的としていた。現在、ＬＣＯＳバルブのアーキテクチャーは、以下の２種類がある。
【０００４】
−画素メモリーを有さないアーキテクチャー。このアーキテクチャーでは、画像は直接表示され、各バルブ素子は液晶を制御するトランジスターを有し、従ってバルブの大きさは低減されるがバルブ素子をアドレス指定できず、同時にバルブの別の素子を照射できず、カラーホイールを利用するシーケンシャルカラーディスプレイシステムでは、ホイールは黒セグメントを各色セグメントの間に有し、これによりシステムの発光効率を大きく低下する。
【０００５】
−特許文献１に記載されたような画素メモリーを有するアーキテクチャー。図１は、この種のバルブ素子の機能ブロック図を示す。符号１０により参照されるこの素子は、ビデオ情報を表示する前にビデオ情報のアイテムを格納可能である。このアーキテクチャーは、シーケンシャルカラーディスプレイの場合の前述のアーキテクチャーの欠点を有さないが、しかしながら、シリコン上で有意な大きさを占有する。本発明は、より詳細にはこの種のアーキテクチャーに関する。
【０００６】
図１を参照する。素子１０は、素子により及び素子の同一の列に属するバルブの別の素子により表示されるべき連続するビデオレベルを表す電圧が適用されるバルブの列ライン１１と接続される。素子１０は、液晶１２を有する。液晶１２は、入力電極に印加される電圧に比例する（プロジェクター内の外部光源により提供される）光量を反射する。液晶１２は、通常、２つの電極を有する。第１の電極は、一般にミラー電極と称され、図１のＥで示され、素子１０のビデオ電圧を受信する。第１の電極は、ＣＥで示され、対極と称され、固定又は可変電位に保たれる。液晶内の電位差は、液晶により反射又は送信される光を変化する。駆動回路は、列ライン１１と液晶１２のミラー電極の間に挿入される。駆動回路は、異なる瞬間に列ライン１１に存在する電位を格納するために設けられた２つの格納コンデンサＣＳ１及びＣＳ２を有する。従って、列ライン１１に印加された電位が、前記コンデンサの１つに格納される間、他方のコンデンサに格納された電位は、液晶１２のミラー電極に印加される。従って、別のレベルを表示している間にビデオレベルを格納できる。駆動回路は、特に、格納コンデンサＣＳ１及びＣＳ２を列ライン１１と、又は液晶１２のミラー電極と接続するトランジスターＴ１、Ｔ２、Ｔ３及びＴ４を有する。トランジスターＴ１は、列ライン１１とコンデンサＣＳ１の第１の端子の間に接続される。ＣＳ１の他方の端子は、接地又は固定の低電位と接続される。トランジスターＴ１は、信号Ｒ（ｊ）＿Ａにより駆動される。ｊは当該素子が属する行の番号である。トランジスターＴ２は、コンデンサＣＳ１の第１の端子と液晶１２のミラー電極の間に接続され、信号ＲＥＡＤ＿Ａにより駆動される。トランジスターＴ３は、列ライン１１とコンデンサＣＳ２の第１の端子の間に接続される。ＣＳ２の他方の端子は、接地又は固定の低電位と接続される。トランジスターＴ３は、信号Ｒ（ｊ）＿Ｂにより駆動される。最後に、トランジスターＴ４は、コンデンサＣＳ２の第１の端子と液晶１２のミラー電極の間に接続され、信号ＲＥＡＤ＿Ｂにより駆動される。
【０００７】
このバルブ素子のフレーム中の動作モードは、シーケンシャルカラーディスプレイの場合に、図２乃至４に示される。画像ｉを表すビデオ情報Ｒｉ（赤色用）、Ｇｉ（緑色用）及びＢｉ（青色用）は、列ライン１１に順次提供される。図２は、素子１０に書き込む間のトランジスターの状態、及び／又は情報Ｂ０、Ｒ１、Ｇ１、Ｂ１、Ｂ２及びＧ２がこの順序で得列ライン１１へ規則的な間隔で送信された場合の素子１０による発光の状態を示すタイムチャートを示す。列の他の素子を参照する情報（示されない）は、これらの間隔の間に送信される。動作の第１の段階では、情報アイテムＲ１が列ライン１１に存在している場合、トランジスターＴ１は、オンに切り替えられ（Ｒ（ｊ）＿Ａ＝１）、Ｒ１をコンデンサＣＳ１に格納する。同時に、トランジスターＴ４はオンに切り替えられ（ＲＥＡＤ＿Ｂ＝１）、コンデンサＣＳ２に事前に格納されていた情報アイテムＢ０を表示する。トランジスターＴ１は、直ちに再びオフに切り替えられるが、トランジスターＴ４は、情報アイテムＧ１が列ライン１１に存在するまで導通のままである。トランジスターＴ３は次にオンに切り替えられ（Ｒ（ｊ）＿Ｂ＝１）、コンデンサＣＳ２に情報アイテムＧ１を格納する。同時に、トランジスターＴ２は、導通し（ＲＥＡＤ＿Ａ＝１）、液晶１２は、ミラー電極で事前にコンデンサＣＳ１に格納されていた情報アイテムＲ１を受信する。トランジスターＴ２は、情報アイテムＢ１が列ライン１１に現れるまで導通のままである。トランジスターＴ１は次に再び導通され、コンデンサＣＳ１に情報アイテムＢ１を格納し、以上が直ちに繰り返される。図３は、情報アイテムＧ１の格納及び情報アイテムＲ１の表示に対応する動作段階を示す。図４は、情報アイテムＢ１の格納及び情報アイテムＧ１の表示に対応する動作段階を示す。
【０００８】
以上に説明されたように、このアーキテクチャーは、バルブの各素子に同時に異なるビデオレベルを受信及び表示させる。このアーキテクチャーの主な欠点は、素子の駆動回路内の多数のトランジスターである。バルブの各素子の駆動回路の大きさは、従って大きく、これはバルブ全体の大きさに不利となる。
【０００９】
現在、バルブの液晶の駆動に必要な３から５ボルトの範囲の電位に対応する０．３５μｍのＣＭＯＳ技術の場合、各バルブ素子の大きさは、１２μｍ×１２μｍである。高精細度画像（１９２０×１０８０）の場合、これは１．０５インチの対角線になる。
【特許文献１】米国特許第６４７６７８５号明細書
【特許文献２】仏国特許第２８４１３６６号明細書
【発明の開示】
【発明が解決しようとする課題】
【００１０】
本発明の目的は、バルブ素子の大きさを低減し及び製造コストを低減する、新たなバルブのアーキテクチャーを提案することである。
【課題を解決するための手段】
【００１１】
本発明によると、バルブの複数の素子の間で共通にトランジスター及びコンデンサを共有することにより、液晶の駆動回路内のトランジスターの数及びコンデンサの数を低減することが提案される。
【００１２】
本発明は、画像表示装置に関連する。画像表示装置は、
−液晶のミラー電極と称される１つの電極は、少なくとも１つの画像に関連するビデオ情報を表示するよう駆動手段により制御され、前記液晶をそれぞれ有する行と列に配された素子のバルブ、
−各画素に対し、バルブの少なくとも２つの隣接する素子のグループにより共有される共通の値及び固有の値としてバルブの各素子により表示されるべきビデオ情報を符号化し、及びそれらをバルブへ送信する手段、
を有し、
前記駆動手段は、
−バルブの素子毎に、前記素子の液晶のミラー電極と結合され、及び前記素子により表示されるべきビデオ情報アイテムと関連した固有の値を格納し、及び前記固有の値を前記素子の液晶のミラー電極へ適用する、固有の駆動手段、及び
−バルブの少なくとも２つの素子のグループ毎に、前記グループの各素子と結合され、及びグループの前記素子により表示されるべきビデオ情報アイテムと関連した前記共通の値を格納し、及び前記共通の値を前記グループの素子の液晶のミラー電極へ適用する、共通の駆動手段、
を有し、
固有の駆動手段及び１つの同一の素子のグループと結合された共通の駆動手段は、グループの素子の液晶を、画像のために、グループの素子に関連するビデオ情報の固有の値と共通の値を交互に表示するよう制御する。
【００１３】
少なくとも２つの色を有するシーケンシャルカラーディスプレイの場合、固有の駆動手段及び１つの同一の素子のグループと結合された共通の駆動手段は、グループの素子の液晶を、色に関連するビデオ情報の固有の値と前記色又は別の色に関連するビデオ情報の共通の値を交互に表示するよう制御する。
【００１４】
シーケンシャルカラーディスプレイの場合、装置は、例えば、
−白色光を生成し、バルブが符号化手段２によりバルブへ送信された固有の値及び共通の値に応じて光量を反射又は透過する、前記素子のバルブを照射する光源、及び
−前記光源と前記バルブの間に置かれ、前記少なくとも２つの色毎に色セグメントを有し、符号化手段と同期し、従って色に関連する固有又は共通の値がバルブの液晶のミラー電極に適用された場合、前記色に対応するホイールセグメントが光源により生成された光をフィルターするカラーホイール、
を有する。
【００１５】
本発明によると、素子のグループの隣接する素子は、バルブの１つの同一の素子列及び連続する行に属するか、又はバルブの素子の連続する行及び連続する列に属するかの何れかで良い。
【００１６】
本発明によると、素子の固有の駆動手段は、
バルブの列ラインに存在する前記素子のための固有の値を格納する第１の格納コンデンサ、
列ラインを前記第１の格納コンデンサの第１の端子と接続し、及び他方の端子は固定電位と接続される第１のスイッチ、及び
第１の格納コンデンサの第１の端子を素子の液晶のミラー電極と接続する第１のスイッチ、
を有する。
【００１７】
バルブの素子のグループの共通の駆動手段は、
−バルブの列ラインに存在する前記グループのための共通の値を格納する第２の格納コンデンサ、
−列ラインを前記第２の格納コンデンサの第１の端子と接続し、及び他方の端子は固定電位と接続される第３のスイッチ、及び
−第２の格納コンデンサの第１の端子をグループの素子の液晶のミラー電極と接続する第４のスイッチ、
を有する。
【発明を実施するための最良の形態】
【００１８】
本発明は、非限定的な例としてのみ与えられる以下の説明及び図を参照しより理解される。
【００１９】
本発明によると、バルブのトランジスター及びコンデンサの数を減少させることを可能にするバルブ素子の新しいアーキテクチャーが提案される。このアーキテクチャーによると、トランジスター及びコンデンサは、素子の液晶を駆動するために、バルブの複数の素子により共通に利用される。より詳細には、単一のトランジスターＴ３及び単一のコンデンサＣＳ２が、バルブの少なくとも２つの素子の各グループにより利用されることが提案される。種々の実施例は、この原則を説明するために提示される。
【００２０】
このアーキテクチャーは、ビデオ情報の特定の符号化及びバルブ内の符号化されたビデオ情報の特定のアドレスを必要とする。特定の符号化は、各画素のビデオ情報を２つの部分、つまり少なくとも２つの隣接する画素のグループに共通な値、及び各画素に固有の値への分解を有する。共通の値及び固有の値が１つの同一のビデオフレームの間に表示されるため、バルブの素子のアドレス指定周波数は、従来のシーケンシャルカラーディスプレイ（１８０Ｈｚ）に対し２倍される。本発明によると、画素のグループにより共有される共通の値は、少なくとも２つの画素の前記グループを表示する少なくとも２つのバルブ素子のグループのコンデンサＣＳ２に格納される。及び各画素に固有の値は、この画素を表示するバルブ素子のコンデンサＣＳ１に格納される。本発明によると、及び画像のシーケンシャルカラーディスプレイの枠組み内で、所与の色の共通の値及び固有の値は、前記画像に対し、所与の色の共通の値の送信及び同一の色又は別の色の固有の値の送信を切り替えるバルブへ順次送信される。モノクロディスプレイの枠組み内で、１つの同一の画像の固有の値は、ビデオフレームの第１の部分の間に、共通の値は、フレームの他の部分の間に、１つずつ送信される。
【００２１】
本発明による複数のバルブのアーキテクチャーが提案される。図５は、第１の実施例を示す。
【００２２】
図５は、１つの同一の素子列に属し、バルブの２つの連続する行ｊ及びｊ＋１に属する２つの隣接するバルブ素子１０及び１０’を示す。素子１０は、図１の素子１０と等価である。素子１０’は、コンデンサＣＳ２及びトランジスターＴ３を除き、素子１０と同一の要素を有する。素子１０の要素Ｔ１、Ｔ２、Ｔ４、ＣＳ１及び１２は、素子１０’ではＴ１’、Ｔ２’、Ｔ４’、ＣＳ１’及び１２’により示される。トランジスターＴ１’は、信号Ｒ（ｊ＋１）_Ａにより駆動される。素子１０’のその他のトランジスターは、素子１０の場合と同一の信号により駆動される。トランジスターＴ４の（及び対応するトランジスターＴ４’の）位置は、図１に関して変更される。トランジスターＴ４は、トランジスターＴ４'と直列に液晶１２及び１２’のミラー電極間に実装される。またトランジスターＴ３と接続されたコンデンサＣＳ２の端子は、２つのトランジスターＴ４及びＴ４'の間の位置に接続される。コンデンサＣＳ２は、２つの素子１０及び１０’により共有される共通の情報を格納するよう機能する。
【００２３】
これらの画素を動作するために利用されるべき特定の符号化は、以下に説明される。この符号化は、既に特許文献２に記載された符号化と同じである。この符号化は、表示周波数が増加した場合にバルブの素子のアドレス指定時間を減少するよう決定されている。この符号化は、この用途では、画素メモリーを有する又は有さない、従来のバルブ素子で表示されるビデオ情報を符号化するために利用される。図５のバルブ素子と共に利用されるべき符号化は、以下に例を通じて説明される。所与の色（赤、緑又は青）に対し１５０に等しいビデオレベルＮＧ１を有する画素Ｐ１、及び１００に等しいビデオレベルＮＧ２を有する画素Ｐ２の場合を考える。これら２つの画素は、２つの素子１０及び１０’により表示される。これら２つの画素は、従って、所与の画素列及び２つの連続する画素行ｊ及びｊ＋１に属する。
【００２４】
ビデオレベルＮＧ１及びＮＧ２は、２つの画素Ｐ１及びＰ２により共有される共通の値ＶＣ及び各画素に１つある２つの固有の値ＶＳ１及びＶＳ２に分解される。ＮＧ１＝（ＶＣ＋ＶＳ１）／２、ＮＧ２＝（ＶＣ＋ＶＳ２）／２である。この場合には、ＶＣ＝（ＮＧ１＋ＮＧ２）／２、つまり１２５となることが可能である。固有の値ＶＳ１及びＶＳ２は、そして１７５及び７５に等しい。この例は、以下に示す表１に纏められる。
【００２５】
【表１】
2008529036.tif 000003
所与の画素に対し、共通の値の後に固有の値が表示される場合、又は逆の場合、人間の目により知覚される中間調の値は、平均値、つまり画素Ｐ１に対して１５０及び画素Ｐ２に対して１００である。これは、表示されるべきビデオレベルＮＧ１及びＮＧ２に相当する。勿論、固有の値は、共通の値ＶＣの前に表示されて良い。また逆も良い。
【００２６】
本発明によると、各色に対する画素の固有の値は、バルブに対応する共通の値と交互に提供される。これらの値は、例えば、図６に示されるように送信される。期間Ｔのビデオフレームは、それぞれ色に割り付けられ１から６に番号付けされた（期間Ｔ／６の）６個のフィールドに分割される。各色の共通の値は、フレームのフィールド２、４及び６の間に表示される。固有の値は、フィールド１、３及び５の間に表示される。各フィールドは、特定の色に割り付けられる。図６の例では、フレームのフィールド１及び４は緑色に、フィールド２及び５は青色に、そしてフィールド３及び６は赤色に割り付けられる。これらの値は、列ライン１１に現れる場合には、バルブの素子のコンデンサＣＳ１及びＣＳ２に格納される。これらの値は、図６に示されるように、アドレス指定に関し、フィールドに対応する時間的推移で表示される。プロジェクターが３色の部分−赤、緑、青−を有するカラーホイールを利用する場合、カラーホイールは、１フレームの間に２回転を実行する。
【００２７】
図６のシーケンスが続く場合、図５の素子１０及び１０’の動作モードは以下のようになる。フレームのフィールド１の間、緑色に対し２つの素子により共有される共通の値ＶＣは、コンデンサＣＳ２に格納され、事前にＣＳ１及びＣＳ１’に格納されていた固有の値ＶＳ１及びＶＳ２は、液晶１２及び１２’により表示される。従って、値ＶＣがこのフィールドの間に列１１に現れた時に、トランジスターＴ３はオンに切り替えられる。トランジスターＴ２及びＴ２’は、このフィールド全体を通じオンに切り替えられるが、他のトランジスターはこのフィールドの間、オフのままである。
【００２８】
フィールド２の間、コンデンサＣＳ２に格納された共通の値ＶＣは、液晶１２及び１２’により表示される。トランジスターＴ４及びＴ４’は、従ってこのフィールド全体を通じ導通する。青色に対する固有の値ＶＳ１及びＶＳ２は、コンデンサＣＳ１及びＣＳ１’にそれぞれ格納される。値ＶＳ１及びＶＳ２がこのフィールドの間に列１１に現れた時に、トランジスターＴ１及びＴ１’はオンに切り替えられる。他のトランジスターＴ２及びＴ２’はオフである。
【００２９】
同様に、フィールド３の間、赤色に対する共通の値は、コンデンサＣＳ２に格納され、青色に対する固有の値は、表示される。フィールド４の間、緑色に対する固有の値は、コンデンサＣＳ１及びＣＳ１’に格納され、赤色に対する共通の値は、表示される。フィールド５の間、青色に対する共通の値は、コンデンサＣＳ２に格納され、緑色に対する固有の値は、表示される。最後に、フィールド６の間、赤色に対する固有の値は、コンデンサＣＳ１及びＣＳ１’に格納され、青色に対する共通の値は、表示される。
【００３０】
バルブの素子が２のグループに一緒にグループ分けされるこのアーキテクチャーでは、単一のコンデンサＣＳ２は、２つの素子により共有される共通の値を格納するために利用され、そして２つのコンデンサＣＳ１及びＣＳ１’は、固有の値ＶＳ１及びＶＳ２を格納するために利用される。このアーキテクチャーは、バルブの２つの素子の各グループのトランジスター及びコンデンサの省略を可能にする。
【００３１】
このアーキテクチャーはまた、多数のトランジスター及びコンデンサの省略を可能にする。従って、以下に説明されるように、多数の素子、例えば４個の素子に共通である共通の値を利用すれば十分である。図７は、本発明による、４個の隣接するバルブ素子１０、１０’、１０’’、１０’’’を示す。これら４個の素子は、バルブの２つの連続する列ｉ及びｉ＋１、及び２つの連続する行ｊ及びｊ＋１に属する。素子１０の要素Ｘは、素子１０’ではＸ’、素子１０’’ではＸ’’、素子１０’’’ではＸ’’’として示される。素子１０は、図５の素子１０と同一である。素子１０’、１０’’、１０’’’は、図５の素子１０’と同一である。素子１０’、１０’’及び１０’’’は、従って如何なるコンデンサＣＳ２又はトランジスター３３の何れも有さない。トランジスターＴ１及びＴ１’’は、信号Ｒ（ｊ）＿Ａにより駆動される。トランジスターＴ１’及びＴ１’’’は、信号Ｒ（ｊ＋１）＿Ａにより駆動される。他のトランジスターは、素子１０の場合と同一の信号により駆動される。この図では、コンデンサＣＳ２は、４個の隣接する素子１０、１０’、１０’’及び１０’’’により共通に利用される。コンデンサＣＳ２は、これら４個の素子により共有される共通の値を格納するよう機能する。
【００３２】
これらの画素を動作するために利用されるべき特定の符号化は、例を通じて以下に説明される。所与の色（赤、緑又は青）に対し、それぞれビデオレベルＮＧ１＝１５０、ＮＧ２＝１３０、ＮＧ３＝１２０及びＮＧ４＝１００を有し、素子１０、１０’、１０’’及び１０’’’により表示されるべき４個の画素Ｐ１、Ｐ２、Ｐ３及びＰ４を考える。
【００３３】
ビデオレベルＮＧ１、ＮＧ２、ＮＧ３及びＮＧ４は、４個の画素により共有される共通の値ＶＣ及び４個の画素それぞれに固有の値ＶＳ１、ＶＳ２、ＶＳ３及びＶＳ４に分解される。共通の値ＶＣは、例えば、４個の入力中間レベルの平均値である。これらの値は、以下の表２に示される。
【００３４】
【表２】
2008529036.tif 000004
このように、所与の画素に対し、共通の値と固有の値が順次表示される場合、人間の目により知覚される中間調の値は、表示されるべきビデオレベルＮＧ１、ＮＧ２、ＮＧ３及びＮＧ４に相当する平均値である。
【００３５】
これら符号化された値は、図６に示されるように、送信され素子１０、１０’、１０’’及び１０’’’により表示される。
【００３６】
このアーキテクチャーでは、単一のコンデンサＣＳ２は、４個のバルブ素子に共通である。このアーキテクチャーは、従って、バルブの４個の素子の各グループの３個のトランジスター（Ｔ３）及び３個のコンデンサ（ＣＳ）の省略を可能にする。
【００３７】
この技術は、勿論、８個又は１６個又は更に多くのバルブ素子のグループに拡張されて良い。
【００３８】
これらのバルブ素子及び関連する符号化のアーキテクチャーは、単に例として示された。
図８に示されるようなシーケンスが想定されても良い。１つの同一の色に対する共通の及び固有の値は、１つずつバルブの素子に書き込まれる。この解決策の不利点は、しかしながら、各色に対する共通の値と固有の値の間の遷移の際の「色割れ」の存在である。
【００３９】
本発明による表示装置の実施例は、図９に示される。図９の実施例は、
−行及び列に配された、図５又は７に従う素子のバルブ１、
−各画素に対し、以上に説明された、バルブの少なくとも２つの隣接する素子のグループにより共有される共通の値及び固有の値として各素子により表示されるべきビデオ情報を符号化し、及びそれらをバルブ１へ送信する手段２、
−白色光を提供し、及び符号化手段２によりバルブ１へ送信された固有及び共通の値に応じて光量を反射又は透過するバルブ１を照射する光源３、及び
−光源３とバルブ１の間に置かれ、各色の色セグメントを有し、符号化手段２と同期し、従って固有及び共通の値がバルブの液晶のミラー電極に適用された場合、前記色に対応するホイールセグメントが光源３により生成された光をフィルターするカラーホイール４
を有する。
【００４０】
勿論、着色された光を直接生成する光源が、白色光源とカラーホイールを組み合わせた場所に設けられて良い。
【００４１】
実際には、符号化手段２は、カラーホイールの回転周波数を制御する。図６のシーケンスを実施するために、ホイールの回転周波数は、画像周波数に関し２倍にされる（各画像でホイールが２回転）。図８の場合、ホイールの回転周波数は、画像周波数と等しい。
【００４２】
バルブ１により送信された光は、従って、次に光学装置によりスクリーンの方向へ向けられる。
【図面の簡単な説明】
【００４３】
【図１】従来技術の、画素メモリーを有するバルブ素子を示す。
【図２】図１の素子のトランジスターの駆動信号のタイムチャートを示す。
【図３】図１の素子の２つの動作段階の１つを示す。
【図４】図１の素子の２つの動作段階の１つを示す。
【図５】本発明の第１の実施例によるバルブの素子対の図を示す。
【図６】シーケンシャルカラーディスプレイの場合の、本発明によるバルブにより表示されたビデオ情報シーケンスを示す。
【図７】本発明の第１の実施例による４個のバルブ素子の図を示す。
【図８】シーケンシャルカラーディスプレイの場合の、本発明によるバルブにより表示された第２のビデオ情報シーケンスを示す。
【図９】本発明による装置を示す。
【図１】
2008529036.tif 000005
【図２】
2008529036.tif 000006
【図３】
2008529036.tif 000007
【図４】
2008529036.tif 000008
【図５】
2008529036.tif 000009
【図６】
2008529036.tif 000010
【図７】
2008529036.tif 000011
【図８】
2008529036.tif 000012
【図９】
2008529036.tif 000013
【国際調査報告】
2008529036.tif 000014
2008529036.tif 000015